(57)【要約】【課題】入力信号から歪みを除去する前の位相調整を簡単な回路構成で行うことにより製造コストを低減すること。【解決手段】直交検波部１２４は、パイロット信号と出力信号に含まれる歪み除去ループＬ２で抑圧されたパイロット信号とを直交検波して、Ｉ成分の電圧値とＱ成分の電圧値を出力する。歪み除去ループ制御部１１８は、スイッチを切り替えることにより、Ｉ成分の電圧値とＱ成分の電圧値の極性を反転または非反転にするとともにＩ成分の電圧値とＱ成分の電圧値を入れ替えて出力するかまたはそのまま出力することにより位相調整を行う。比較回路部１１９は、歪み除去ループ制御部１１８から入力したＩ成分の出力電圧値及びＱ成分の出力電圧値と基準電圧値とを比較する。制御部１２０は、比較回路部１１９から入力した比較結果に応じて歪み除去ループ制御部１１８内のスイッチを切り替える制御を行う。【選択図】      図１
2004248109.tif 000002
【特許請求の範囲】
【請求項１】
参照信号と出力信号に含まれる参照出力信号とを直交検波して互いに直交関係を有するＩ成分の電圧値とＱ成分の電圧値とを検出する直交検波手段と、前記直交検波手段にて検出したＩ成分の電圧値とＱ成分の電圧値とに基づいて初期位相を調整する広範囲位相調整手段と、入力信号に含まれる歪み成分を検出する歪み成分検出手段と、前記初期位相を調整した後に前記直交検波手段にて検出したＩ成分の電圧値とＱ成分の電圧値とに基づいて前記入力信号から前記歪み成分を除去する歪み成分除去手段とを具備する歪み除去制御装置であって、前記広範囲位相調整手段は、前記直交検波手段にて検出したＩ成分の電圧値の極性及びＱ成分の電圧値の極性を反転させるか否かを選択することにより前記初期位相を調整することを特徴とする歪み除去制御装置。
【請求項２】
前記広範囲位相調整手段は、前記Ｉ成分の電圧値または前記Ｉ成分の電圧値の極性を反転した前記反転値を選択的に切り替えて出力させる第１切替手段と、前記Ｑ成分の電圧値または前記Ｑ成分の電圧値の極性を反転した前記反転値を選択的に切り替えて出力させる第２切替手段と、前記第１切替手段より出力される電圧値または前記第１切替手段より出力される電圧値の極性を反転した前記反転値と前記第２切替手段より出力される電圧値または前記第２切替手段より出力される電圧値の極性を反転した前記反転値とを選択的に切り替えて前記振幅誤差及び前記位相誤差として出力させる第３切替手段とを具備し、前記第３切替手段より出力される電圧値が所定の電圧値幅内になるように前記第１切替手段、前記第２切替手段及び前記第３切替手段を選択的に切り替えて前記初期位相を調整することを特徴とする請求項１記載の歪み除去制御装置。
【請求項３】
前記参照出力信号に含まれるキャリア成分を減衰させて前記直交検波手段に出力するフィルタ手段を具備し、前記直交検波手段は、前記フィルタ手段にて前記キャリア成分を減衰された前記参照出力信号と前記参照信号とを直交検波することを特徴とする請求項１または請求項２記載の歪み除去制御装置。
【請求項４】
温度を検出する温度検出手段と、前記出力信号の位相を９０度の範囲内にて調整する狭範囲位相調整手段とを具備し、前記温度検出手段により検出した温度に応じて９０度未満の位相差が生じる場合には前記狭範囲位相調整手段を用いて位相調整を行い、９０度以上の位相差が生じる場合には前記広範囲位相調整手段と前記狭範囲位相調整手段を用いて位相調整を行うことを特徴とする請求項１から請求項３のいずれかに記載の歪み除去制御装置。
【請求項５】
参照信号を含む入力信号を増幅した増幅信号と前記入力信号より生成した前記増幅信号に対する位相差を１８０度にした位相ずれ信号とを合成することにより歪み成分を検出する歪み成分検出手段と、前記増幅信号より前記歪み成分を除去した出力信号から参照出力信号を抽出する抽出手段と、参照信号と出力信号に含まれる参照出力信号とを直交検波して互いに直交関係を有するＩ成分の電圧値とＱ成分との電圧値とを検出する直交検波手段と、前記直交検波手段にて検出したＩ成分の電圧値とＱ成分の電圧値とに基づいて初期位相を調整する広範囲位相調整手段と、前記初期位相を調整した後に前記直交検波手段にて検出したＩ成分の電圧値とＱ成分の電圧値とに基づいて入力信号から前記歪み成分を除去する歪み成分除去手段と、を具備するフィードフォワード増幅装置であって、前記広範囲位相調整手段は、前記直交検波手段にて検出したＩ成分の電圧値の極性及びＱ成分の電圧値の極性を反転させるか否かを選択することにより前記初期位相を調整することを特徴とするフィードフォワード増幅装置。
【請求項６】
前記広範囲位相調整手段は、前記Ｉ成分の電圧値または前記Ｉ成分の電圧値の極性を反転した前記反転値を選択的に切り替えて出力させる第１切替手段と、前記Ｑ成分の電圧値または前記Ｑ成分の電圧値の極性を反転した前記反転値を選択的に切り替えて出力させる第２切替手段と、前記第１切替手段より出力される電圧値または前記第１切替手段より出力される電圧値の極性を反転した前記反転値と前記第２切替手段より出力される電圧値または前記第２切替手段より出力される電圧値の極性を反転した前記反転値とを選択的に切り替えて前記振幅誤差及び前記位相誤差として出力させる第３切替手段とを具備し、前記第３切替手段より出力される電圧値が所定の電圧値幅内になるように前記第１切替手段、前記第２切替手段及び前記第３切替手段を選択的に切り替えて前記初期位相を調整することを特徴とする請求項５記載のフィードフォワード増幅装置。
【請求項７】
前記参照出力信号に含まれるキャリア成分を減衰させて前記直交検波手段に出力するフィルタ手段を具備し、前記直交検波手段は、前記フィルタ手段にて前記キャリア成分を減衰された前記参照出力信号と前記参照信号とを直交検波することを特徴とする請求項５または請求項６記載のフィードフォワード増幅装置。
【請求項８】
温度を検出する温度検出手段と、前記出力信号の位相を９０度の範囲内にて調整する狭範囲位相調整手段とを具備し、前記温度検出手段により検出した温度に応じて９０度未満の位相差が生じる場合には前記狭範囲位相調整手段を用いて位相調整を行い、９０度以上の位相差が生じる場合には前記広範囲位相調整手段と前記狭範囲位相調整手段を用いて位相調整を行うことを特徴とする請求項５から請求項７のいずれかに記載のフィードフォワード増幅装置。
【請求項９】
参照信号と出力信号に含まれる参照出力信号とを直交検波して互いに直交関係を有するＩ成分の電圧値とＱ成分との電圧値を検出するステップと、前記Ｉ成分の電圧値と前記Ｑ成分の電圧値に基づいて前記Ｉ成分の電圧値の極性を非反転にて出力するかまたは反転させて出力してＩ成分出力電圧値とするステップと、前記Ｉ成分の電圧値と前記Ｑ成分の電圧値に基づいて前記Ｑ成分の電圧値の極性を非反転にて出力するかまたは反転させて出力してＱ成分出力電圧値とするステップと、前記Ｉ成分の電圧値と前記Ｑ成分の電圧値に基づいて前記Ｉ成分出力電圧値をＩ成分出力電圧値とするかまたはＱ成分出力電圧値とするとともに、前記Ｑ成分出力電圧値をＱ成分出力電圧値とするかまたはＩ成分出力電圧値とすることにより初期位相を調整するステップと、前記入力信号に含まれる歪み成分を検出するステップと、前記初期位相を調整した後に入力信号から前記歪み成分を除去するステップと、を具備することを特徴とする歪み除去制御方法。
【発明の詳細な説明】
【０００１】
【発明の属する技術分野】
本発明は、歪み除去制御装置及びフィードフォワード増幅装置に関し、例えば信号を増幅する際に発生する歪みを除去する歪み除去制御装置及びフィードフォワード増幅装置に関する。
【０００２】
【従来の技術】
ＣＤＭＡ方式の移動体通信や、日本において近々の実施が予定されている地上波デジタルテレビジョン放送では、広帯域に分布した複数のキャリアを用いて情報を伝達する、いわゆるマルチキャリア通信方式が用いられる。
【０００３】
マルチキャリア送信に際し、高周波電力増幅器（高周波パワーアンプ）をキャリアの数だけ用意するのは、装置サイズやコストの面からみて負担が大きい。
【０００４】
したがって、一つの高周波電力増幅器によって、マルチキャリア信号を一括して増幅することが必要となる。
【０００５】
一つの高周波電力増幅器によって広帯域の高周波信号を増幅する場合、高周波パワー増幅器の非線形性に起因する各種の歪（非直線歪：例えば、相互変調歪）が、現われやすくなる。
【０００６】
非直線歪を低減する方法としては、フィードフォワード方式がある。フィードフォワード方式は、電力増幅器の出力信号に含まれる歪成分を分離し、その歪成分の位相を反転させ、その反転信号を増幅器の出力信号に帰還させて歪み成分を打ち消す方式である。
【０００７】
即ち、発振回路から出力される基本パイロット信号と、出力端子に現れる信号の一部を分岐した出力信号とを直交検波回路に入力し、直交検波回路は、発振回路から供給される基本パイロット信号を参照信号として用いて、参照信号に対する誤差信号の同期を合わせた後に直交検波し、その結果得られるＩ成分出力及びＱ成分出力を、利得調整回路及び位相調整回路に制御信号として供給して歪み成分を除去するものである（例えば、特許文献１参照。）。
【０００８】
【特許文献１】
特開２００１−１８９６３１号公報
【０００９】
【発明が解決しようとする課題】
しかしながら、従来の歪み除去制御装置及びフィードフォワード増幅装置においては、パイロット信号を直交検波することにより歪みを除去するためには、歪みを除去する前に出力端子に現れる信号の一部を分岐した出力を３６０度の範囲内にて位相調整する必要があり、３６０度の位相調整が行える高価な可変移相器が必要であるため、製造コストが高くなるという問題がある。また、可変移相器を用いて３６０度の位相調整を行うため、位相調整装置の構成が複雑になるという問題がある。
【００１０】
本発明はかかる点に鑑みてなされたものであり、入力信号から歪みを除去する前の位相調整を簡単な回路構成で行うことにより製造コストを低減することができる歪み除去制御装置及びフィードフォワード増幅装置を提供することを目的とする。
【００１１】
【課題を解決するための手段】
本発明の歪み除去制御装装置は、参照信号と出力信号に含まれる参照出力信号とを直交検波して互いに直交関係を有するＩ成分の電圧値とＱ成分の電圧値とを検出する直交検波手段と、前記直交検波手段にて検出したＩ成分の電圧値とＱ成分の電圧値とに基づいて初期位相を調整する広範囲位相調整手段と、入力信号に含まれる歪み成分を検出する歪み成分検出手段と、前記初期位相を調整した後に前記直交検波手段にて検出したＩ成分の電圧値とＱ成分の電圧値とに基づいて前記入力信号から前記歪み成分を除去する歪み成分除去手段とを具備する歪み除去制御装置であって、前記広範囲位相調整手段は、前記直交検波手段にて検出したＩ成分の電圧値の極性及びＱ成分の電圧値の極性を反転させるか否かを選択することにより前記初期位相を調整する構成を採る。
【００１２】
この構成によれば、歪みを除去する場合において、Ｉ成分の電圧値及びＱ成分の電圧値を反転させるか否かを選択することにより入力信号から歪み成分を除去する前の初期位相を調整するので、簡単な方式により歪み成分を除去する前の初期位相を調整することできるために回路構成が簡単で製造コストを低減することができる。
【００１３】
本発明の歪み除去制御装置は、前記構成において、前記広範囲位相調整手段は、前記Ｉ成分の電圧値または前記Ｉ成分の電圧値の極性を反転した前記反転値を選択的に切り替えて出力させる第１切替手段と、前記Ｑ成分の電圧値または前記Ｑ成分の電圧値の極性を反転した前記反転値を選択的に切り替えて出力させる第２切替手段と、前記第１切替手段より出力される電圧値または前記第１切替手段より出力される電圧値の極性を反転した前記反転値と前記第２切替手段より出力される電圧値または前記第２切替手段より出力される電圧値の極性を反転した前記反転値とを選択的に切り替えて前記振幅誤差及び前記位相誤差として出力させる第３切替手段とを具備し、前記第３切替手段より出力される電圧値が所定の電圧値幅内になるように前記第１切替手段、前記第２切替手段及び前記第３切替手段を選択的に切り替えて前記初期位相を調整する構成を採る。
【００１４】
この構成によれば、前記効果に加えて、切替手段による切り替え動作によってＩ成分の電圧値またはＩ成分の電圧値の極性を反転させた反転値とＱ成分の電圧値またはＱ成分の電圧値の極性を反転させた反転値とを得ることができるので、３６０度の位相調整が可能な高価な移相器が不要になって製造コストを低減することができる。
【００１５】
本発明の歪み除去制御装置は、前記構成において、前記参照出力信号に含まれるキャリア成分を減衰させて前記直交検波手段に出力するフィルタ手段を具備し、前記直交検手段は、前記フィルタ手段にて前記キャリア成分を減衰された前記参照出力信号と前記参照信号とを直交検波する構成を採る。
【００１６】
この構成によれば、前記効果に加えて、参照出力信号に含まれるキャリア成分をフィルタ手段により取り除くことができるので、より正確に位相を調整することができる。
【００１７】
本発明の歪み除去制御装置は、前記構成において、温度を検出する温度検出手段と、前記出力信号の位相を９０度の範囲内にて調整する狭範囲位相調整手段とを具備し、前記温度検出手段により検出した温度に応じて９０度未満の位相差が生じる場合には前記狭範囲位相調整手段を用いて位相調整を行い、９０度以上の位相差が生じる場合には前記広範囲位相調整手段と前記狭範囲位相調整手段を用いて位相調整を行う構成を採る。
【００１８】
この構成によれば、前記効果に加えて、温度検出手段にて検出した温度に応じて、９０度より大きい位相ずれが生じる場合には、Ｉ成分の電圧値またはＩ成分の電圧値の極性を反転させた反転値とＱ成分の電圧値またはＱ成分の電圧値の極性を反転させた反転値とを用いて位相の調整を行い、９０度以内の小さな位相ずれが生じる場合には、例えば最大９０度の範囲内にて位相の調整を行なうことができる移相器を用いて位相の調整を行なうので、温度変化による位相のずれを簡単な回路構成にて調整することができる。
【００１９】
本発明のフィードフォワード増幅装置は、参照信号を含む入力信号を増幅した増幅信号と前記入力信号より生成した前記増幅信号に対する位相差を１８０度にした位相ずれ信号とを合成することにより歪み成分を検出する歪み成分検出手段と、前記増幅信号より前記歪み成分を除去した出力信号から参照出力信号を抽出する抽出手段と、参照信号と出力信号に含まれる参照出力信号とを直交検波して互いに直交関係を有するＩ成分の電圧値とＱ成分との電圧値とを検出する直交検波手段と、前記直交検波手段にて検出したＩ成分の電圧値とＱ成分の電圧値とに基づいて初期位相を調整する広範囲位相調整手段と、前記初期位相を調整した後に前記直交検波手段にて検出したＩ成分の電圧値とＱ成分の電圧値とに基づいて入力信号から前記歪み成分を除去する歪み成分除去手段と、を具備するフィードフォワード増幅装置であって、前記広範囲位相調整手段は、前記直交検波手段にて検出したＩ成分の電圧値の極性及びＱ成分の電圧値の極性を反転させるか否かを選択することにより前記初期位相を調整する構成を採る。
【００２０】
この構成によれば、入力信号を増幅する際に発生する歪みを最小限にするための歪みの除去を補償する回路において、Ｉ成分の電圧値及びＱ成分の電圧値を反転させるか否かを選択することにより歪み成分を除去する前の初期位相を調整するので、簡単な方式により歪み成分を除去する前の初期位相を調整することできるために回路構成が簡単で製造コストを低減することができる。
【００２１】
本発明のフィードフォワード増幅装置は、前記構成において、前記広範囲位相調整手段は、前記Ｉ成分の電圧値または前記Ｉ成分の電圧値の極性を反転した前記反転値を選択的に切り替えて出力させる第１切替手段と、前記Ｑ成分の電圧値または前記Ｑ成分の電圧値の極性を反転した前記反転値を選択的に切り替えて出力させる第２切替手段と、前記第１切替手段より出力される電圧値または前記第１切替手段より出力される電圧値の極性を反転した前記反転値と前記第２切替手段より出力される電圧値または前記第２切替手段より出力される電圧値の極性を反転した前記反転値とを選択的に切り替えて前記振幅誤差及び前記位相誤差として出力させる第３切替手段とを具備し、前記第３切替手段より出力される電圧値が所定の電圧値幅内になるように前記第１切替手段、前記第２切替手段及び前記第３切替手段を選択的に切り替えて前記初期位相を調整する構成を採る。
【００２２】
この構成によれば、前記効果に加えて、切替手段による切り替え動作によってＩ成分の電圧値またはＩ成分の電圧値の極性を反転させた反転値とＱ成分の電圧値またはＱ成分の電圧値の極性を反転させた反転値とを得ることができるので、３６０度の位相調整が可能な高価な移相器が不要になって製造コストを低減することができる。
【００２３】
本発明のフィードフォワード増幅装置は、前記構成において、前記参照出力信号に含まれるキャリア成分を減衰させて前記直交検波手段に出力するフィルタ手段を具備し、前記直交検手段は、前記フィルタ手段にて前記キャリア成分を減衰された前記参照出力信号と前記参照信号とを直交検波する構成を採る。
【００２４】
この構成によれば、前記効果に加えて、参照出力信号に含まれるキャリア成分をフィルタ手段により取り除くことができるので、より正確に位相を調整することができる。
【００２５】
本発明のフィードフォワード増幅装置は、前記構成において、温度を検出する温度検出手段と、前記出力信号の位相を９０度の範囲内にて調整する狭範囲位相調整手段とを具備し、前記温度検出手段により検出した温度に応じて９０度未満の位相差が生じる場合には前記狭範囲位相調整手段を用いて位相調整を行い、９０度以上の位相差が生じる場合には前記広範囲位相調整手段と前記狭範囲位相調整手段を用いて位相調整を行う構成を採る。
【００２６】
この構成によれば、前記効果に加えて、温度検出手段にて検出した温度に応じて、９０度より大きい位相ずれが生じる場合には、Ｉ成分の電圧値またはＩ成分の電圧値の極性を反転させた反転値とＱ成分の電圧値またはＱ成分の電圧値の極性を反転させた反転値とを用いて位相の調整を行い、９０度以内の小さな位相ずれが生じる場合には、例えば最大９０度の範囲内にて位相の調整を行なうことができる移相器を用いて位相の調整を行なうので、温度変化による位相のずれを簡単な回路構成にて調整することができる。
【００２７】
本発明の歪み除去制御方法は、参照信号と出力信号に含まれる参照出力信号とを直交検波して互いに直交関係を有するＩ成分の電圧値とＱ成分の電圧値を検出するステップと、前記Ｉ成分の電圧値と前記Ｑ成分の電圧値に基づいて前記Ｉ成分の電圧値を非反転にて出力するかまたは反転させて出力してＩ成分出力電圧値とするステップと、前記Ｉ成分の電圧値と前記Ｑ成分の電圧値に基づいて前記Ｑ成分の電圧値を非反転にて出力するかまたは反転させて出力してＱ成分出力電圧値とするステップと、前記Ｉ成分の電圧値と前記Ｑ成分の電圧値に基づいて前記Ｉ成分出力電圧値をＩ成分出力電圧値とするかまたはＱ成分出力電圧値とするとともに、前記Ｑ成分出力電圧値をＱ成分出力電圧値とするかまたはＩ成分出力電圧値とすることにより初期位相を調整するステップと、入力信号に含まれる歪み成分を検出するステップと、前記初期位相を調整した後に前記入力信号から前記歪み成分を除去するステップと、を具備するようにした。
【００２８】
この方法によれば、歪みを除去する場合において、Ｉ成分の電圧値及びＱ成分の電圧値を反転させるか否かを選択することにより歪み成分を除去する前の初期位相を調整するので、簡単な方式により歪み成分を除去する前の初期位相を調整することできるために回路構成が簡単で製造コストを低減することができる。
【００２９】
【発明の実施の形態】
本発明の骨子は、参照信号と出力信号に含まれる参照出力信号とを直交検波して互いに直交関係を有するＩ成分とＱ成分との電圧値を検出し、検出したＩ成分及びＱ成分の電圧値を反転させるか否かを選択することにより入力信号から歪み成分を除去する前の初期位相を調整することである。
【００３０】
以下、本発明の実施の形態について、図面を参照して詳細に説明する。
【００３１】
（実施の形態１）
図１は、本実施の形態１に係る歪み除去制御装置を適用したフィードフォワード増幅装置１００の構成を示す図であり、図２は、本実施の形態１に係る歪み除去ループ制御部の構成を示す図である。フィードフォワード増幅装置１００は、歪み成分検出手段である歪み検出ループ回路Ｌ１と歪み成分除去手段である歪み除去ループ回路Ｌ２とから構成される。
【００３２】
フィードフォワード増幅装置１００は、入力端子１０１、カップラ１０２、カップラ１０３、ベクトル調整器１０４、主増幅部１０５、カップラ１０６、遅延部１０７、カップラ１０８、遅延部１０９、カップラ１１０、ベクトル調整器１１１、誤差増幅部１１２、カップラ１１３、カップラ１１４、出力端子１１５、局部発振器１１６、歪み検出ループ制御部１１７、歪み除去ループ制御部１１８、比較回路部１１９、制御部１２０、フィルタ１２１、ベクトル調整器１２２及び直交検波部１２４を具備している。
【００３３】
歪み検出ループ回路Ｌ１は、カップラ１０２、カップラ１０３、ベクトル調整器１０４、主増幅部１０５、カップラ１０６、遅延部１０７、カップラ１０８、カップラ１１０及び歪み検出ループ制御部１１７を具備している。
【００３４】
歪み除去ループ回路Ｌ２は、カップラ１０８、遅延部１０９、カップラ１１０、ベクトル調整器１１１、誤差増幅部１１２、カップラ１１３、カップラ１１４、歪み除去ループ制御部１１８、比較回路部１１９、制御部１２０、フィルタ１２１、ベクトル調整器１２２及び直交検波部１２４を具備している。歪み除去ループ制御部１１８、比較回路部１１９及び制御部１２０は、広範囲位相調整装置１２３を具備している。
【００３５】
カップラ１０２は、入力端子１０１と接続されている。カップラ１０３は、カップラ１０２の出力端子と局部発振器１１６の出力端子とに接続されている。ベクトル調整器１０４は、カップラ１０３の出力端子と歪み検出ループ制御部１１７の出力端子とに接続されている。主増幅部１０５は、ベクトル調整器１０４の出力端子と接続されている。カップラ１０６は、主増幅部１０５の出力端子と接続されている。カップラ１０８は、カップラ１０６の出力端子と遅延部１０７の出力端子とに接続されている。遅延部１０７は、カップラ１０２の出力端子と接続されている。遅延部１０９は、カップラ１０８の出力端子に接続されている。カップラ１１０は、カップラ１０８の出力端子に接続されている。
【００３６】
ベクトル調整器１１１は、カップラ１１０の出力端子と制御部１２０の出力端子とに接続されている。誤差増幅部１１２は、ベクトル調整器１１１の出力端子に接続されている。カップラ１１３は、遅延部１０９の出力端子と誤差増幅部１１２の出力端子とに接続されている。カップラ１１４は、カップラ１１３の出力端子に接続されている。出力端子１１５はカップラ１１４の出力端子に接続されている。歪み検出ループ制御部１１７は、カップラ１１０の出力端子に接続されている。歪み除去ループ制御部１１８は、直交検波部１２４の出力端子と制御部１２０の出力端子とに接続されている。比較回路部１１９は、歪み除去ループ制御部１１８の出力端子に接続されている。制御部１２０は、比較回路部１１９の出力端子に接続されている。フィルタ１２１は、カップラ１１４の出力端子に接続されている。ベクトル調整器１２２は、フィルタ１２１の出力端子と制御部１２０の出力端子とに接続されている。直交検波部１２４は、局部発振器１１６の出力端子とベクトル調整器１２２の出力端子に接続されている。
【００３７】
入力端子１０１は、入力信号を受けてカップラ１０２へ送る。
【００３８】
カップラ１０２は、入力端子１０１から入力した信号を分配してカップラ１０３と遅延部１０７へ出力する。
【００３９】
カップラ１０３は、カップラ１０２から入力した信号に局部発振器１１６から入力したパイロット信号（参照信号）を注入してベクトル調整器１０４へ出力する。
【００４０】
ベクトル調整器１０４は、歪み検出ループ制御部１１７からフィードバックされた振幅誤差と位相誤差に基づいて、検出ループのキャリア抑圧特性を維持するようにカップラ１０３から入力した信号を制御して、主増幅部１０５へ出力する。なお、カップラ１０３は、主増幅部１０５を通る信号線上であって、かつカップラ１０２とカップラ１０８の間であれば任意の位置に設けることができる。
【００４１】
主増幅部１０５は、ベクトル調整器１０４から入力した信号を増幅して増幅信号としてカップラ１０６へ出力する。
【００４２】
カップラ１０６は、主増幅部１０５から入力した信号を歪み検出ループ制御部１１７とカップラ１０８へ出力する。
【００４３】
遅延部１０７は、カップラ１０２から入力した信号を遅延させて、カップラ１０６からカップラ１０８に入力する信号の位相に比べて１８０度ずれた位相ずれ信号をカップラ１０８へ出力する。
【００４４】
カップラ１０８は、カップラ１０６から入力した信号と遅延部１０７から入力した信号とを合成して歪み成分を検出し、検出した歪み成分をカップラ１１０へ出力する。また、カップラ１０８は、カップラ１０６から入力した信号をそのまま遅延部１０９へ出力する。
【００４５】
遅延部１０９は、カップラ１０８から入力した信号を遅延させてカップラ１１３へ出力する。
【００４６】
カップラ１１０は、カップラ１０８から入力した歪み成分を歪み検出ループ制御部１１７とベクトル調整器１１１へ出力する。
【００４７】
ベクトル調整器１１１は、カップラ１１０から入力した歪み成分に対して、広範囲位相調整装置１２３からフィードバックされる振幅誤差と位相誤差に基づいてキャリア成分ができる限り小さくなるように振幅制御と位相制御を行なう。位相制御の際にカップラ１１０から入力した歪み成分の位相が、遅延部１０９からカップラ１１３に入力される信号の位相に比べて１８０度ずれるように位相を調整する。そして、ベクトル調整器１１１は、振幅制御と位相制御とを行なった歪み成分を誤差増幅部１１２へ出力する。
【００４８】
誤差増幅部１１２は、ベクトル調整器１１１から入力した歪み成分を増幅してカップラ１１３へ出力する。
【００４９】
歪み成分除去手段であるカップラ１１３は、遅延部１０９から入力した信号と誤差増幅部１１２から入力した歪み成分とを合成して、遅延部１０９から入力した信号から歪み成分を除去してキャリア成分を抽出し、抽出したキャリア成分をカップラ１１４へ出力する。
【００５０】
抽出手段であるカップラ１１４は、カップラ１１３から入力した信号を出力端子１１５から出力するとともに、入力信号からパイロット信号を取り出してフィルタ１２１へ出力する。ここで抽出された参照出力信号であるパイロット信号は、遅延部１０９から出力された信号と誤差増幅部１１２から出力された信号との振幅誤差または位相誤差により局部発振器１１６から出力されたパイロット信号が除去されていない可能性がある。
【００５１】
局部発振器１１６は、生成したパイロット信号をカップラ１０３と直交検波部１２４へ出力する。
【００５２】
歪み検出ループ回路制御部１１７は、カップラ１０６の結合出力から取り出したキャリア成分とカップラ１１０から取り出した歪み検出ループ回路Ｌ１で抑圧されたキャリア成分の特性差から、主増幅部１０５と遅延部１０７との振幅誤差と位相誤差を検出し、検出した振幅誤差と位相誤差をベクトル調整器１０４へ出力する。
【００５３】
歪み除去ループ制御部１１８は、歪み検出ループＬ１及び歪み除去ループＬ２を動作させて振幅誤差と位相誤差を検出して歪み成分を除去する前の位相（初期位相）を調整する時（以下「誤差検出位相調整モード」と記載する）と歪み検出ループＬ１及び歪み除去ループＬ２を動作させて振幅誤差と位相誤差を検出して歪み成分の除去を開始した後（以下「歪み除去モード」と記載する）の両方において、直交検波部１２４から入力したＩ成分の電圧値またはＩ成分の電圧値の極性を反転した反転値とＱ成分の電圧値またはＱ成分の電圧値の極性を反転した反転値とを比較回路部１１９へ出力する。
【００５４】
比較回路部１１９は、誤差検出位相調整モードと歪み除去モードの両方において、歪み除去ループ制御部１１８から入力したＩ成分の電圧値またはＩ成分の電圧値の極性を反転した反転値と基準電圧を比較するとともに、Ｑ成分の電圧値またはＱ成分の電圧値を反転させた反転値と基準電圧とを比較し、比較結果を制御部１２０へ出力する。なお、比較回路部１１９の詳細については、後述する。
【００５５】
制御部１２０は、誤差検出位相調整モードにおいて、比較回路部１１９から入力した比較結果に基づいて、９０度よりも大きい位相ずれが生じていると判定した場合には位相ずれが９０度の範囲内に収まるように歪み除去ループ制御部１１８を制御する。一方、制御部１２０は、比較回路部１１９から入力した比較結果に基づいて、９０度以内の位相ずれである場合には歪み除去ループ制御部１１８に対しては特に制御は行わない。なお、位相ずれが９０度の範囲内に収まるように制御する方法については後述する。
【００５６】
また、制御部１２０は、歪み除去モードにおいて、比較回路部１１９から入力した比較結果に基づいて、増幅信号に歪み成分がなくなるようにベクトル調整器１１１の振幅制御電圧と位相制御電圧を調整するように制御する。そして、制御部１２０は、比較回路部１１９から入力するＩ成分の電圧値とＱ成分の電圧値により、位相調整が完了したと判断したとき、歪み除去ループ制御部１１８の調整とベクトル調整器１２２に対する電圧調整を停止するように制御する。制御部１２０は、例えば比較回路部１１９から入力するＩ成分の電圧値とＱ成分の電圧値が０Ｖになった場合に振幅誤差と位相誤差がなくなったものと判断して位相調整を終了する。
【００５７】
フィルタ手段であるフィルタ１２１は、カップラ１１４から入力した歪んだパイロット信号に含まれるキャリア成分を減衰させてベクトル調整器１２２へ出力する。
【００５８】
狭範囲位相調整手段であるベクトル調整器１２２は、９０度の範囲内にて位相を調整することができる例えば移相器であり、誤差検出位相調整モードにおいて、ベクトル調整器１１１にて９０度よりも大きい位相ずれを補正した後に９０度の範囲内にて位相調整を行う。また、ベクトル調整器１２２は、歪み除去モードにおいて、９０度の範囲で位相を調整することができるものであり、フィルタ１２１から入力した歪み除去ループ回路で抑圧されたパイロット信号における振幅成分に相当する電圧値と位相成分に相当する電圧値とを調整して直交検波部１２４へ出力する。
【００５９】
直交検波部１２４は、誤差検出位相調整モードと歪み除去モードの両方において、局部発振器１１６から入力したパイロット信号とベクトル調整器１２２から入力したパイロット信号とを直交検波して、Ｉ成分の電圧値とＱ成分の電圧値とを生成して、歪み除去ループ制御部１１８に与える。
【００６０】
次に、歪み除去ループ制御部１１８の詳細について、図２を用いて説明する。歪み除去ループ制御部１１８は、スイッチ２０２、スイッチ２０３、差動増幅部２０４、差動増幅部２０５及びスイッチ２０６を具備している。
【００６１】
第１切替手段であるスイッチ２０２は、直交検波部１２４の＋Ｉ成分の出力端子に接続されるスイッチ端子Ｓ１、直交検波部１２４の−Ｉ成分の出力端子に接続されるスイッチ端子Ｓ２、後述する差動増幅部２０４の非反転入力端子に接続されるスイッチ端子Ｓ３、Ｓ６及び差動増幅部２０４の反転入力端子に接続されるスイッチ端子Ｓ４、Ｓ５を具備している。そして、スイッチ２０２においては、制御部１２０の制御により、スイッチ端子Ｓ１は、スイッチ端子Ｓ３またはスイッチ端子Ｓ４と接続され、スイッチ端子Ｓ２は、スイッチ端子Ｓ５またはスイッチ端子Ｓ６と接続される。ここで、＋Ｉ成分の電圧値は（Ｉ＋Ｘ）（Ｘは基準電圧）であり、−Ｉ成分の電圧値は（−Ｉ＋Ｘ）である。なお、基準電圧Ｘが０Ｖの場合には、＋Ｉ成分と−Ｉ成分の電圧値は互いに逆極性の電圧値になる。
【００６２】
第２切替手段であるスイッチ２０３は、直交検波部１２４の＋Ｑ成分の出力端子に接続されるスイッチ端子Ｓ１０、直交検波部１２４の−Ｑ成分の出力端子に接続されるスイッチ端子Ｓ１１、後述する差動増幅部２０５の非反転入力端子に接続されるスイッチ端子Ｓ１２、Ｓ１５及び差動増幅部２０５の反転入力端子に接続されるスイッチ端子Ｓ１３、Ｓ１４を具備している。そして、スイッチ２０３においては、制御部１２０の制御により、スイッチ端子Ｓ１０は、スイッチ端子Ｓ１２またはスイッチ端子Ｓ１３と接続され、スイッチ端子Ｓ１１は、スイッチ端子Ｓ１４またはスイッチ端子Ｓ１５と接続される。ここで、＋Ｑ成分の電圧値は（Ｑ＋Ｘ）であり、−Ｑ成分の電圧値は（−Ｑ＋Ｘ）である。なお、基準電圧Ｘが０Ｖの場合には、＋Ｑ成分と−Ｑ成分の電圧値は互いに逆極性の電圧値になる。
【００６３】
差動増幅部２０４は、図２に示すように、抵抗Ｒ１、抵抗Ｒ２、抵抗Ｒ３、抵抗Ｒ４、コンデンサＣ１、コンデンサＣ２及び増幅器ＡＭＰ１を具備している。抵抗Ｒ１は、スイッチ端子Ｓ３、Ｓ６と増幅器ＡＭＰ１の反転入力端子との間に接続されている。抵抗Ｒ２は、スイッチ端子Ｓ４、Ｓ５と増幅器ＡＭＰ１の非反転入力端子との間に接続されている。抵抗Ｒ３は、抵抗Ｒ１と増幅器ＡＭＰ１の出力側との間に設けられている。抵抗Ｒ４は、抵抗Ｒ２とグランドとの間に接続されている。コンデンサＣ１は、増幅器ＡＭＰ１の非反転入力端子と増幅器ＡＭＰ１の出力端子との間に接続されている。コンデンサＣ２は、増幅器ＡＭＰ１の反転入力端子とグランドとの間に接続されている。このような構成からなる差動増幅部２０４は、反転入力端子に入力する電圧と非反転入力端子に入力する電圧との差をとって増幅して出力する。即ち、差動増幅部２０４は、直交検波部１２４の＋Ｉ成分出力及び−Ｉ成分出力の極性を反転させずに増幅してスイッチ２０６へ出力するかまたは極性を反転させて増幅してスイッチ２０６へ出力する。差動増幅部２０４から出力された電圧値は、Ｉ成分の出力電圧値としてスイッチ２０６へ出力される。
【００６４】
差動増幅部２０５は、図２に示すように、抵抗Ｒ５、抵抗Ｒ６、抵抗Ｒ７、抵抗Ｒ８及び増幅器ＡＭＰ２を具備している。抵抗Ｒ５は、スイッチ端子Ｓ１２、Ｓ１５と増幅器ＡＭＰ２の反転入力端子との間に接続されている。抵抗Ｒ６は、スイッチ端子Ｓ１３、Ｓ１４と増幅器ＡＭＰ２の非反転入力端子との間に設けられる。抵抗Ｒ７は、抵抗Ｒ５と増幅器ＡＭＰ２の出力側との間に接続されている。抵抗Ｒ８は、抵抗Ｒ６とグランドとの間に接続されている。このような構成からなる差動増幅部２０５は、反転入力端子に入力する電圧と非反転入力端子に入力する電圧との差をとって増幅して出力する。即ち、差動増幅部２０５は、直交検波部１２４の＋Ｑ成分出力及び−Ｑ成分出力の極性を反転させずに増幅してスイッチ２０６へ出力するかまたは極性を反転させて増幅してスイッチ２０６へ出力する。差動増幅部２０５から出力された電圧値は、Ｑ成分の出力電圧値としてスイッチ２０６へ出力される。
【００６５】
第３切替手段であるスイッチ２０６は、差動増幅部２０４に接続されるスイッチ端子Ｓ２０、差動増幅部２０５に接続されるスイッチ端子Ｓ２１及び比較回路部１１９に接続されるスイッチ端子Ｓ２２、Ｓ２３、Ｓ２４、Ｓ２５を具備している。そして、スイッチ２０６においては、制御部１２０の制御により、スイッチ端子Ｓ２０は、スイッチ端子Ｓ２２またはスイッチ端子Ｓ２３と接続され、スイッチ端子Ｓ２１は、スイッチ端子Ｓ２４またはスイッチ端子Ｓ２５と接続される。
【００６６】
スイッチ２０６が、差動増幅部２０４から入力したＩ成分の入力電圧値と差動増幅部２０５から入力したＱ成分の入力電圧値をそのまま出力する場合には、Ｉ成分の入力電圧値はＩ成分の出力電圧値となるとともにＱ成分の入力電圧値はＱ成分の出力電圧値になる。また、スイッチ２０６が、差動増幅部２０４から入力したＩ成分の入力電圧値と差動増幅部２０５から入力したＱ成分の入力電圧値を切り替えて出力する場合には、Ｉ成分の入力電圧値がＱ成分の出力電圧値となるとともにＱ成分の入力電圧値はＩ成分の出力電圧値になる。なお、歪み除去ループ制御部１１８の動作については、後述する。
【００６７】
次に、比較回路部１１９の構成について、図３を用いて説明する。なお、比較回路部１１９において、図３に記載の回路は、Ｉ成分の電圧値と基準電圧とを比較する回路とＱ成分の電圧値と基準電圧値とを比較する回路との２つ設けられるが、両者は同一構成であるため、いずれか一方の回路のみについて図３を用いて説明する。比較回路部１１９は、抵抗Ｒ１０、抵抗Ｒ１１、コンデンサＣ１０及び増幅器ＡＭＰ１０を具備している。
【００６８】
抵抗Ｒ１０は、歪み除去ループ制御部１１８と増幅器ＡＭＰ１０の反転入力端子との間に接続されている。抵抗Ｒ１１は、増幅器ＡＭＰ１０の反転入力端子と増幅器ＡＭＰ１０の出力端子との間に接続されている。コンデンサＣ１０は、増幅器ＡＭＰ１０の反転入力端子と増幅器ＡＭＰ１０の出力端子との間に接続されている。増幅器ＡＭＰ１０の非反転入力端子は、基準電圧Ｘを受けるものであり、グランドと接続されている。なお、基準電圧Ｘは、グランドに限らずグランド以外の電圧値にすることができる。
【００６９】
比較回路部１１９は、入力される電圧が、しきい値以上の電圧であるならば正電圧を出力し、入力される電圧が、しきい値未満の電圧であるならば負電圧を出力する。しかし、比較回路部１１９は、そのままでは電圧がばたついて発振して収束しないため、コンデンサＣ１０と抵抗Ｒ１１からなる平滑回路により電圧が平滑化されて安定した出力を得ることができる。
【００７０】
次に、直交検波部１２４において、直交検波して振幅誤差と位相誤差を求める場合について、図４を用いて説明する。
【００７１】
カップラ１１３に入力される遅延部１０９から出力したパイロット信号→Ａとし、カップラ１１３に入力される誤差増幅部１１２から出力したパイロット信号→Ｂとすると、歪み除去ループ回路Ｌ２で抑圧されてカップラ１１４から出力された抑圧信号誤差ベクトル→Ｅ０は、「→Ｅ０＝→Ａ＋→Ｂ」で表現され、→Ａの法線ベクトルを→Ａ１とすると、誤差ベクトル→Ｅ０は、次の式（１）で表される。
【００７２】
→Ｅ＝（１−ｋｃｏｓΔθ）→Ａ＋ｋｓｉｎΔθ→Ａ１            （１）
ただし、ｋは振幅誤差（基準ベクトルの大きさとの比）であり、θは位相誤差である。実際の制御時には、「ｋ」は略「１」であり、「Δθ」は略「０」なので、「ｃｏｓΔθ」は略「１」であり、「ｓｉｎΔθ」は略「Δθ」となり、式（１）は次の式（２）にて近似できる。
【００７３】
→Ｅ＝（１−ｋ）→Ａ＋Δθ→Ａ１                        （２）
直交検波部１２４では、基準となるパイロット信号のベクトル→Ａとその法線ベクトル→Ａ１との同期検波を行なうので、その出力電圧は「Ｉ成分∝（１−ｋ）」となり、「Ｑ成分∝Δθ」となる。結果として、Ｉ成分より振幅誤差を取り出すことができ、Ｑ成分より位相誤差を取り出すことができ、取り出した振幅誤差と位相誤差をベクトル調整器１１１の制御電圧に使用する。
【００７４】
次に、誤差検出位相調整モードにおけるフィードフォワード増幅装置１００の動作について、図５〜図７を用いて説明する。
【００７５】
図６及び図７は、位相調整時において、ベクトル調整器１１１に振幅の電圧値（Ｇ）を所定の電圧値（以下「振幅調整電圧値」と記載する）に設定するとともに、位相の電圧値（θ）を所定の電圧値（以下「位相調整電圧値」と記載する）に設定した場合、歪み除去ループ回路Ｌ１を経由して制御部１２０に入力した振幅の電圧値（以下「帰還振幅電圧値」と記載する）は振幅調整電圧値の逆電圧、且つ位相の電圧値（以下「帰還位相電圧値」と記載する）は位相調整電圧値の逆電圧である理想状態に対する許容電圧幅を示したものである。図６及び図７において、○はベクトル調整器１１１にて振幅電圧値を変えた場合の比較回路部１１９の出力電圧値であり、×はベクトル調整器１１１にて位相電圧値を変えた場合の比較回路部１１９の出力電圧値である。また、図６及び図７において、振幅電圧値が高くなるにしたがって、振幅（Ｇ）軸の右側へ移動するとともに、位相電圧値が高くなるにしたがって、位相（θ）軸の上側へ移動する。なお、後述する図８から図１４においても図６及び図７と同様である。
【００７６】
最初に、制御部１２０は、ベクトル調整器１１１において、振幅の電圧値を振幅調整電圧値に設定するとともに、位相の電圧値を位相調整電圧値に設定する（ステップＳＴ５０１）。
【００７７】
次に、制御部１２０は、歪み除去ループ回路Ｌ１を経由して制御部１２０に入力した振幅の電圧値（以下「帰還振幅電圧値」と記載する）が、図６の理想状態における電圧値Ｐ１に対して前後に４５度ずれた角度θ１の範囲内の振幅基準電圧幅内であるか否かを判定するとともに、位相の電圧値（以下「帰還位相電圧値」と記載する）が、図７の理想状態における前後に４５度ずれた角度θ２の範囲内の位相基準電圧幅内であるか否かを判定し（ステップＳＴ５０２）、帰還振幅電圧値が振幅基準電圧幅内でないかまたは帰還位相電圧値が位相基準電圧幅内でない場合には、検出した帰還振幅電圧値と帰還位相電圧値に応じてスイッチ２０２、２０３、２０６を切り替えることにより９０度より大きな位相ずれを修正することができる（ステップＳＴ５０３）。次に、ベクトル調整器１２２は、９０度の範囲内にて位相を調整する（ステップＳＴ５０４）。一方、ステップＳＴ５０２において、帰還振幅電圧値が振幅基準電圧幅内であってかつ帰還位相電圧値が位相基準電圧幅内である場合は、ベクトル調整器１２２にて９０度の範囲内にて位相調整を行う（ステップＳＴ５０４）。そして、ベクトル調整器１２２による位相調整が終了した後に誤差検出位相調整モードを終了する（ステップＳＴ５０５）。
【００７８】
このようにして位相調整が終了した後は歪み除去モードに移行して歪み除去制御を行うことになり、制御部１２０は、比較回路部１１９から入力した振幅誤差と位相誤差を示す電圧をそのままベクトル調整器１１１へ出力して振幅誤差と位相誤差がなくなるように制御する。
【００７９】
次に、帰還振幅電圧値が振幅基準電圧幅の範囲内にない場合と帰還位相電圧値が位相基準電圧幅の範囲内にない場合について、図８〜図１４を用いて説明する。
【００８０】
制御部１２０が図８に示すような帰還振幅電圧値及び帰還位相電圧値を検出した場合には、スイッチ２０２とスイッチ２０３を切り替える。
【００８１】
制御部１２０が図９に示すような帰還振幅電圧値及び帰還位相電圧値を検出した場合には、スイッチ２０３とスイッチ２０５を切り替える。
【００８２】
制御部１２０が図１０に示すような帰還振幅電圧値及び帰還位相電圧値を検出した場合には、スイッチ２０２とスイッチ２０５を切り替える。
【００８３】
また、制御部１２０が図１１に示すような帰還振幅電圧値及び帰還位相電圧値を検出した場合には、スイッチ２０５を切り替える。
【００８４】
制御部１２０が図１２に示すような帰還振幅電圧値及び帰還位相電圧値を検出した場合には、スイッチ２０２、スイッチ２０３及びスイッチ２０５を切り替える。
【００８５】
制御部１２０が図１３に示すような帰還振幅電圧値及び帰還位相電圧値を検出した場合には、スイッチ２０３を切り替える。
【００８６】
制御部１２０が図１４に示すような帰還振幅電圧値及び帰還位相電圧値を検出した場合には、スイッチ２０２を切り替える。
【００８７】
ベクトル調整器１２２によって帰還振幅電圧値と帰還位相電圧値を９０度の範囲内にて調整することにより、確実に理想状態に近づけることができる。また、９０度以上の大きな位相ずれに対してはスイッチ２０２、２０３、２０６を切り替えてＩ成分とＱ成分の出力電圧値の極性を反転させて位相調整を行なうので、ベクトル調整器１２２は最大９０度の範囲内にて位相調整を行なうことができる移相器を用いれば良く、安価な装置にて位相調整を行うことができる。
【００８８】
歪み除去ループ回路Ｌ２において、フィルタ１２１は、カップラ１１４にて抽出したパイロット信号に含まれるキャリア成分を減衰させるので、出力信号に含まれるパイロット信号のみがベクトル調整器１２２及び歪み除去ループ制御部１１８に入力するので、正確な位相調整を行なうことができる。なお、本実施の形態１において、フィルタ１２１またはベクトル調整器１２２はなくても良い。
【００８９】
このように、本実施の形態１の歪み除去制御装置及びフィードフォワード増幅装置によれば、制御部は、ベクトル調整器にて設定した振幅電圧値と位相電圧値が、歪み除去ループ回路を経由して再び制御部に入力した帰還振幅電圧値と帰還位相電圧値に基づいて、帰還振幅電圧値が振幅基準電圧幅内か否かと帰還位相電圧値が位相基準電圧幅内であるか否かを判断し、それに応じて歪み除去ループ制御部のスイッチを切り替えて振幅誤差と位相誤差を検出する前の位相を調整するので、入力信号から歪みを除去する前の位相調整を簡単な回路構成で行うことにより製造コストを低減することができる。
【００９０】
（実施の形態２）
図５は、本発明の実施の形態２に係る歪み除去制御装置を適用したフィードフォワード増幅装置１５００の構成を示す図である。本発明の実施の形態２に係るフィードフォワード増幅装置１５００は、図１に示す本発明の実施の形態１に係るフィードフォワード増幅装置１００において、温度センサー１５０１を追加し、且つ、制御部１２０の代わりに制御部１５０２を有している。なお、図１と同一構成である部分は同一の符号を付してその説明は省略する。
【００９１】
本実施の形態２は、誤差検出位相調整モードと歪み除去モードにおいて、温度に応じて位相を調整する点を特徴とするものである。
【００９２】
制御部１５０２は、温度センサー１５０１の出力端子と比較回路部１１９の出力端子とに接続されている。
【００９３】
ベクトル調整器１０４は、歪み検出ループ回路Ｌ１における温度変化等が振幅及び位相に与える影響を補償するものであり、ベクトル調整器１１１は、歪み除去ループ回路Ｌ２における温度変化等が振幅及び位相に与える影響を補償するものである。一方、局部発振器１１６にて生成されるパイロット信号は、歪み検出ループ回路Ｌ１と歪み除去ループ回路Ｌ２を含めたフィードフォワード増幅装置１５００の全体をループするものであり、ベクトル調整器１２２、歪み除去ループ制御部１１８にて温度変化等が振幅及び位相に与える影響が補償される。
【００９４】
温度検出手段である温度センサー１５０１は、温度を測定して、測定した温度を制御部１５０２へ出力する。
【００９５】
制御部１５０２は、誤差検出位相調整モードか歪み除去モードかに関わらず、温度センサー１５０１から入力した温度に応じて、比較回路部１１９から入力したＩ成分の電圧値とＱ成分の電圧値より、９０度以内の位相ずれが生じていると判定した場合にはベクトル調整器１２２において電圧値を調整するように制御し、９０度より大きな位相ずれが生じていると判定した場合には歪み除去ループ制御部１１８において電圧値を調整するように制御する。そして、制御部１５０２は、比較回路部１１９から入力するＩ成分の電圧値とＱ成分の電圧値が許容電圧値であることを確認後、歪み除去ループ制御部１１８とベクトル調整器１２２に対する電圧調整を停止するように制御する。なお、温度に応じて歪み除去ループ制御部１１８のスイッチ２０２、２０３、２０６を切り替える動作については後述する。
【００９６】
次に、制御部１５０２の構成について、図１６を用いて説明する。制御部１５０２は、メモリ装置１６０１及び切替判断部１６０２を具備する。
【００９７】
メモリ装置１６０１は、温度センサー１５０１から入力した温度より、あらかじめ記憶しておいた温度に応じた位相のオフセット値を求め、求めた位相のオフセット値を切替判断部１６０２へ出力する。
【００９８】
切替判断部１６０２は、メモリ装置１６０１より入力したオフセット値に基づいて、スイッチ２０２、２０３、２０６を切り替えるのかまたはベクトル調整器１２２にて位相または振幅を調整するのかを判断し、判断結果に応じてスイッチ２０２、２０３、２０６またはベクトル調整器１２２を制御する。即ち、切替判断部１６０２は、位相のオフセット値が９０度より大きい場合には、スイッチ２０２、２０３、２０６を切り替える制御を行い、位相のオフセット値が９０度以下の場合は、ベクトル調整器１２２にて位相または振幅を変化させる制御を行なう。
【００９９】
次に、歪み除去ループ回路Ｌ２における動作を、図１７を用いて説明する。
【０１００】
最初に、温度センサー１５０１は、温度を測定する（ステップＳＴ１７０１）。
【０１０１】
次に、温度センサー１５０１は、測定した温度を制御部１５０２へ出力し、制御部１５０２は、あらかじめ記憶しておいた温度に応じた位相のオフセット値に基づいて、位相ずれが９０度よりも大きくなるか否かを判定する（ステップＳＴ１７０２）。
【０１０２】
位相ずれが９０度よりも大きくなる場合は、制御部１５０２は許容電圧値内になるようにスイッチ２０２、２０３、２０６の切り替え制御を行い（ステップＳＴ１７０３）、続いて位相のオフセット値に基づいて、９０度の範囲内にて位相の調整を行なうようにベクトル調整器１２２を制御する（ステップＳＴ１７０４）。なお、スイッチを切り替える動作は、上記実施の形態１と同一であるのでその説明は省略する。
【０１０３】
一方、ステップＳＴ１７０２において、位相が９０度以下の場合は、制御部１５０２は位相のオフセット値に基づいて９０度の範囲内にて調整可能なベクトル調整器１２２で位相の調整を行なうように制御する（ステップＳＴ１７０５）。
【０１０４】
次に、設定した所定の周期が経過しているか否かにより温度変化による位相ずれの調整を終了するか否かを判断し（ステップＳＴ１７０６）、終了しない場合はステップＳＴ１７０１からの動作を繰り返し、所定の周期が経過した場合には温度変化による位相ずれの調整を終了する。
【０１０５】
ベクトル調整器１２２は、９０度の範囲内にて位相を調整することができる移相器であるため、３６０度の位相を調整することができる移相器に比べて安価であり、製造コストを低減することができる。
【０１０６】
このように、本実施の形態２の歪み除去制御装置及びフィードフォワード増幅装置によれば、上記実施の形態１の効果に加えて、制御部は、温度の影響により９０度より大きな位相ずれが生じた際にスイッチの切り替えによりパイロット信号の位相を調整するので、温度の影響を受けても簡単な回路構成にて正確な位相調整を行うことができる。
【０１０７】
なお、本実施の形態２においては、誤差検出位相調整モード及び歪み除去モードの両方にて温度に応じて位相調整するようにしたが、これに限らず、歪み除去モードの場合にのみ温度に応じて位相調整するようにしても良い。また、本実施の形態２においては、温度に応じて位相調整することとしたが、これに限らず、経時変化を定期的に監視することにより位相ずれに関連する数値が所定値以上になった場合に、スイッチ２０２、２０３、２０６を切り替えて位相を調整するかまたはベクトル調整器１２２により位相を調整するようにしても良い。
【０１０８】
【発明の効果】
以上説明したように、本発明によれば、入力信号から歪みを除去する前の位相調整を簡単な回路構成で行うことにより製造コストを低減することができる。
【図面の簡単な説明】
【図１】本発明の実施の形態１に係るフィードフォワード増幅装置の構成を示すブロック図
【図２】本発明の実施の形態１に係る歪み除去ループ制御部の構成を示すブロック図
【図３】本発明の実施の形態１に係る比較回路部の構成を示すブロック図
【図４】パイロット信号とその誤差を示す図
【図５】本発明の実施の形態１に係るフィードフォワード増幅装置の動作を示すフロー図
【図６】本発明の実施の形態１に係る振幅と位相との関係を示す図
【図７】本発明の実施の形態１に係る振幅と位相との関係を示す図
【図８】本発明の実施の形態１に係る振幅と位相との関係を示す図
【図９】本発明の実施の形態１に係る振幅と位相との関係を示す図
【図１０】本発明の実施の形態１に係る振幅と位相との関係を示す図
【図１１】本発明の実施の形態１に係る振幅と位相との関係を示す図
【図１２】本発明の実施の形態１に係る振幅と位相との関係を示す図
【図１３】本発明の実施の形態１に係る振幅と位相との関係を示す図
【図１４】本発明の実施の形態１に係る振幅と位相との関係を示す図
【図１５】本発明の実施の形態２に係るフィードフォワード増幅装置の構成を示すブロック図
【図１６】本発明の実施の形態２に係る制御部の構成を示すブロック図
【図１７】本発明の実施の形態２に係るフィードフォワード増幅装置の動作を示すフロー図
【符号の説明】
１０４、１１１、１２２  ベクトル調整器
１０５  主増幅器
１０７  遅延部
１０８、１１３、１１４  カップラ
１１６  局部発振器
１１７  歪み検出ループ制御部
１１８  歪み除去ループ制御部
１１９  比較回路部
１２０  制御部
１２４  直交検波部
２０２、２０３、２０６  スイッチ
２０４、２０５  差動増幅部
【図１】
2004248109.tif 000003
【図２】
2004248109.tif 000004
【図３】
2004248109.tif 000005
【図４】
2004248109.tif 000006
【図５】
2004248109.tif 000007
【図６】
2004248109.tif 000008
【図７】
2004248109.tif 000009
【図８】
2004248109.tif 000010
【図９】
2004248109.tif 000011
【図１０】
2004248109.tif 000012
【図１１】
2004248109.tif 000013
【図１２】
2004248109.tif 000014
【図１３】
2004248109.tif 000015
【図１４】
2004248109.tif 000016
【図１５】
2004248109.tif 000017
【図１６】
2004248109.tif 000018
【図１７】
2004248109.tif 000019